(57)【要約】      （修正有）【課題】手を濡らさず、少ない水量で洗米等が簡単短時間に出来、節水効果、米粒等少量の食べ物を流さず、米に限らず野菜や果物も洗う事ができる節水食物洗浄器具を提供する。【解決手段】２つを合わせると球体状になる半球体状のザルとボウルの２セットからなる、節水食物洗浄器具であって、洗う食物を入れて球体状にしたザルを、水を入れた透明や半透明素材の外側球体状のボウルの中に入れ、全体を振る事で直接水に手を触れる事無く、食物を洗浄する事を特徴とする。【選択図】図１
0003193622.tif 000002
【実用新案登録請求の範囲】
【請求項１】
米なら計量も可能で、洗う食物と水を、半球体状の２つを簡単に固定した球体状の容器内に入れ、密閉し全体を振る事により少量の水でも四方八方から水と洗う物が混ざり、短時間でむらなく簡単に洗浄できる節水効果のある事を特徴とする器具
【請求項２】
洗いたい食物を球体状のザルに入れ、水を入れた透明や半透明素材の球体状のボウルの中に入れる、２重構造にする事により、米粒等の小さい食物もこぼさず洗浄する事ができ、外から汚れも確認できる事を特徴とする器具
【請求項３】
米に限らず、補助部品を使用する事により、ある程度の柔らかい食物も洗浄でき、他にも応用ができる汎用性がある事を特徴とし、少量の水で色々な食物が洗浄できる、節水効果のある事を特徴とする器具
【考案の詳細な説明】
【技術分野】
【０００１】
この発明は、家庭にて米を計量し洗ったり研いだり、他に葉物野菜等を洗ったり応用の利く器具に関する物である。また、やわらかい果物等洗う時にも、ある程度の対応ができる物である。
【背景技術】
【０００２】
米とぎの場合、釜や、適当な容器に計量した米と水を入れ手でかき混ぜたり、揉んだりして洗っていた。ボウル等の容器を直に使わず、ザルを重ねて利用することもあった。野菜等は、ボウル等に野菜を入れ、軽く擦ったり、揉んだり浸け置き洗いをしていた。米等と水とを容器に入れて、手で洗米等する従来の方法は、洗米等をより完全なものとするためには、かき混ぜる回数や洗う回数を多くし、洗米等の為の水も多量に使用しなければならなかった。
水切りのさい、米粒等を水と一緒に流してしまう事もあった。また、寒い冬に洗米等の為水に手を付ける事は辛い作業でもあった。
【先行技術文献】
【特許文献】
【０００３】
【特許文献１】特開平８−３３５８１号公報
【考案の概要】
【考案が解決しようとする課題】
【０００４】
計量した容器で、米を他の容器に移す事無く、そのまま洗米する事が出来る。
【０００５】
洗米以外にも、葉物野菜等振っても潰れない物を洗ったり、他に応用し使用できる。
【０００６】
単純な構造、使用方法が簡単で、誰にでも簡単短時間に、洗米等ができる。
【０００７】
洗米等に要する水を少なくし、節水できる。
【０００８】
洗米等の作業で水に直接触れない。
【０００９】
水切り時、洗った物を流してしまう事がない。
【００１０】
むらなく均一に洗米等できる。
【００１１】
外から水の汚れが確認できるようにする。
【００１２】
補助部品を使用すれば、ある程度の柔らかい物も洗えるようにする。
【課題を解決するための手段】
【００１３】
簡単に説明する形状は半球体状のザルとボウルが２セットで、２つを合わせ球体状にする事ができる物にする。
【００１４】
ザルの半球体で計量できる大きさにする。
【００１５】
ザルの中に洗う物を入れ球体状にし、球体状にしたザルを、水を入れた球体状のボウルに入れ、全体を振る事で洗う事ができるようにする。
【００１６】
球体状にしたザルの中に洗った物を入れたまま、水切りができるようにする。
【００１７】
ある程度の柔らかい物を洗う場合、激しく動くと潰れてしまう為、洗いたい物が半球体状のザルから激しく動かないよう、補助部品を作成する。
【００１８】
ボウルを透明や半透明にする事で、外から水の汚れが確認できるようにする。
【考案の効果】
【００１９】
球体状にした全体を振ることで、四方八方から水と洗う物をかき混ぜ、むらなく均一に洗う事ができる。
【００２０】
ザルの半球体が、何合用等の大きさに作成すれば、計量し容器を移さずそのまま洗米ができる。
【００２１】
ザルを２つ合わせ球体状にした物を入れた時に、球体状のボウルと球体状のザルが、全体的に１．５cm〜２cm程度の隙間ができるくらいの大きさにすると、水を溜め少ない水でも激しく往復させる事で、よく洗う事ができる。汚れの程度により、水を変え数回くりかえせば、米研ぎ等もキレイに洗う事ができる。
【００２２】
米等は、お互い同士や水が擦れ合い、特に米の場合は米とぎ時の揉んだりする作業をしない為、米に傷がつきにくい。
【００２３】
球体状にしたボウル全体を振る事で洗う為、水に直接触れる事がない。
【００２４】
球体状のザルを開けず、洗った物の水切りができる為、米粒等の細かい食べ物も流してしまう事無く水切りができる。
【００２５】
ザルもボウルも２つを合わせるだけの単純な構造で、誰にでも簡単に使用できる。
【００２６】
洗いたい物が、プチトマトや果物等のある程度柔らかい物の場合、全体的に洗いたい物が動くと潰れてしまう為、ザルの半球体だけに洗いたい物がとどまるよう、仕切りの板状の網を補助部品に使用し、中に入れた洗いたい物は動かさず、全体を振る事により水の激しい往復で洗う事ができる。
【００２７】
ボウルは透明や半透明にする事で、外から汚れの確認ができる。
【図面の簡単な説明】
【００２８】
【図１】全体の構成上から１番目、外のボウル上部分上から２番目、ボウルの中に入るザル上部分（細かい形状の絵の邪魔にならないよう、網目を全体に書き込んでいないが全体的に入っている）上から３番目、補助部品の仕切り板状の網（細かい形状の絵の邪魔にならないよう、網目を全体に書き込んでいないが全体的に入っている）上から４番目、ボウルの中に入るザル下部分（細かい形状の絵の邪魔にならないよう、網目を全体に書き込んでいないが全体的に入っている）上から５番目、外のボウル下部分
【図２】断面図Ａ、外の球体状のボウルＢ、ボウルの中に入る球体状のザルＣ、球体状のザルが振った時に動かないようにする突起Ｄ、ボウルとザルの足Ｅ、振りやすい為と、振ってもボウルが開かないように押さえつける取っ手Ｆ、柔らかい物を洗う時に使用する補助の仕切り板状の網Ｇ、洗いたい物が入る所Ｈ、ボウル下部分に水を入れるＩ、ボウルの合わさる凹凸（図３が拡大図）Ｊ、ザルの合わさる部分（図４と図５が拡大図）
【図３】ボウルの上下が合わさる部分の拡大図左が上下のボウルを合わせる前右が上下のボウルを合わせた時矢印は、取っ手を手で握る力の入り方で、手で握る事により、全体を振ってもボウルが開かない
【図４】ザルの上下が合わさる部分の拡大図補助部品の、仕切り板状の網を使用しない場合は、矢印部分に隙間ができる左が上下のザルを合わせる前中が上下のザルを合わせた時（矢印が補助部品を使用しない時の凹み）右が下のザルには突起があり、上のザルには凹みがあり、点線矢印が角度で言って数度ひねる（回す）と固定できる構造
【図５】ザルの上下が合わさる部分の拡大図補助部品の、仕切り板状の網を使用する場合、隙間に挟み込む事で網が固定される左が上下のザルと仕切り板状の網を合わせる前右が上下のザルと仕切り板状の網を合わせた時
【考案を実施するための形態】
【００２９】
形状は、半球体状のザルとボウルが２セットで、２つを合わせると球体状になる物を作成する。
【００３０】
ある程度の柔らかい物も洗えるように、この使用用途による補助部品の仕切り板状の網も作成し、球体状のザルの合わせ目に、仕切りの板状の網を挟めるよう、切欠き（凹み）を作っておく。
【００３１】
ボウルは透明や半透明な素材を使用する。
【００３２】
全体を振る為、割れない軽い素材、通常の使用で錆の発生しない素材、激しく振っても変形しない厚みと強度のある素材、カビの発生しにくい素材、が望ましい。（ポリカーボネート、プラスチック、樹脂、他）
【００３３】
ボウルには、全体を振りやすいよう、手で掴みやすい取っ手を作り、取っ手は上下のボウルに付け、ボウル２つを合わせ球体状にした物を振る時、上下の取っ手を握る事で、上下のボウル２つが開かないように押さえる効果もある。
【００３４】
ザルの目は、米粒が流れ出ない程度の大きさにする。
【００３５】
ボウルを２つ合わせ球体状にした物は、ザルを２つ合わせ球体状にした物を中に入れた時に、全体的に１．５cm〜２cm程度の隙間ができるくらい大きくし、球体状にしたザルが中に入るようにする。
【００３６】
ザルの半球体で米が計量できる大きさにする。大きさは１合用、２合用、３合用、４合用、５合用〜等、大きさを変え数種類作成し対応する。例えば５合用なら、ザルの半球体が直径１５〜１６cm深さ６〜７cm位の大きさになり、ボウルは一回り大きな物になると言う感じである。また、計量機能を持たせない物であれば、大きめな物を作り、汎用性を持たせるのもよい。
【００３７】
ザルは２つを合わせ、角度で言って数度ひねる（回す）と、簡単に固定できる構造にする。
【００３８】
ボウルは、２つの合わさる所を凹凸にし、はめ込む事で水が漏れないようにする。
【００３９】
球体状にしたザルが、球体状にしたボウルの中で動かないよう、一般的にあるザルの足や、所々に出っ張りを作る。また、足には茶碗のような、一周が円になるような足ではなく、水が回るように切れ目のある物にする。
【００４０】
球体状のザルが容易に取り出せ、洗った食物をザルから出す事無く、水切りができる物にする。
【実施例１】
【００４１】
図1を使った使用方法（計量機能付きの米研ぎの場合）。上から４番目の下のザルに、米を平らに入れる。上から２番目の上のザルと合わせ、球体状のザルにする。上から５番目のボウルに水を入れ、球体状にしたザルを入れる。上から１番目のボウルと合わせ、１番目と５番目の取っ手を握って全体を振る。水の透明度（汚れ）を確認しながら、米研ぎの好みで数回繰り返す。上から１番目と５番目のボウルを開き、中の球体状にしたザルを取り出し水切りをする。最後に球体状のザルを開き、洗った食物を出す。水を切る時は、中のザルを球体状にしたまま取り出し、そのまま水切りする為、細かい食べ物も流してしまう事無く水切り作業ができる。
【実施例２】
【００４２】
図1を使った使用方法（プチトマト等、激しく全体を振って食物が動くと潰れてしまう物の場合）。上から４番目の下のザルに、洗う物をできるだけ平らに入れる。上から３番目の補助部品、仕切り板状の網を４番目と２番目の間に入れ、上から２番目の上のザルと合わせ、球体状のザルにする。上から５番目のボウルに水を入れ、球体状にしたザルを入れる。上から１番目のボウルと合わせ、１番目と５番目の取っ手を握って全体を振る。好みで数回繰り返す。上から１番目と５番目のボウルを開き、中の球体状にしたザルを取り出し水切りをする。最後に球体状のザルを開き、間に挟んだ補助部品を外し、食物を出す。補助部品、仕切り板状の網を４番目と２番目の間に入れると半球体状のザルから食物を動かさず、激しい水の往復で潰さずに洗える。水を切る時は、中のザルを球体状にしたまま取り出し、そのまま水切りする為、細かい食べ物も流してしまう事無く水切り作業ができる。
【図１】
0003193622.tif 000003
【図２】
0003193622.tif 000004
【図３】
0003193622.tif 000005
【図４】
0003193622.tif 000006
【図５】
0003193622.tif 000007
【手続補正書】
【提出日】平成25年11月25日(2013.11.25)
【手続補正１】
【補正対象書類名】実用新案登録請求の範囲
【補正対象項目名】全文
【補正方法】変更
【補正の内容】
【実用新案登録請求の範囲】
【請求項１】
図1下から2番目にあるザルを、例えば3合用5合用等専用の大きさに合わせ作る事により、米を入れるだけで計量でき計量カップ等から移しかえる事無く、図1上から2番目と米等洗いたい食物を入れた図1下から2番目を簡易的に合わせ固定し球体状にしたザルを、水を入れた透明や半透明素材の図1下から1番目と図1上から1番目のボウル内に入れて合わせ球体状にし、2重構造にする事で容器を開けず外から汚れを確認しながら、従来の釜等でする洗米で容器を斜めにして水切りするのとは違い、球体状にしたままのザルを取り出し洗浄水を完全に交換できる為水の交換回数が減り、短時間でむらなく簡単に洗浄する事が出来、水切りや洗浄水交換時でも米粒等小さい食物もこぼさず行え、かつ、図1上から1番目、図1下から1番目を合わせ密閉させ球体状にした全体を振る事で、少量の水でも四方八方から水と洗う物が擦れ合う事で、直接水に触れることなく、また、洗う物に直接触れない為無駄な力を入れすぎて米を割る事や食物を潰す事無く洗浄し、節水効果のある事を特徴とする器具であるとともに、図1上から3番目にある補助部品を挟み込み使用する事で、全体を激しく振った時に中で動くと潰れてしまうような、ある程度の柔らかい野菜や果物の洗浄時に食物を動かないように固定して、米以外にも応用し洗浄作業ができる、汎用性もある器具
【手続補正書】
【提出日】平成26年3月23日(2014.3.23)
【手続補正１】
【補正対象書類名】実用新案登録請求の範囲
【補正対象項目名】全文
【補正方法】変更
【補正の内容】
【実用新案登録請求の範囲】
【請求項１】
図1下から2番目にあるザルの大きさを基準に、米用なら3合用5合用等色々な専用の大きさ、汎用は全体を振る事が容易にできる大きさで作る事により、米用なら計量カップで米を掬う要領で他に移し替える事無く1度で洗米準備ができ、図2の内側球体状のザルになるB下半分には洗う食物、図2の透明や半透明素材でできた外側球体状のボウルになるA下半分には水を入れ、その球体状にした全体を振る事で、少量の水でも四方八方から水と洗う物が擦れ合う事で、直接水に触れる事無く、また、洗う物に直接触れない為無駄な力を入れすぎて米を割る事や食物を潰す事無く、容器を開けず汚れを確認しながら洗米洗浄作業をし、2重構造にする事で、従来の釜等でする洗米で容器を斜めにして水切りをするのとは違い、球体状にしたままのザルを取り出し洗浄水を完全に交換できる為水の交換回数が減り、米粒等小さい食物もこぼさず行え、節水効果のある事を特徴とする器具であり、かつ、図1上から3番目にある補助部品を挟み込み使用する事で、全体を激しく振った時に中で動くと潰れてしまうような、ある程度の柔らかい野菜や果物の洗浄時に食物を動かないように固定して、米以外にも応用し洗浄作業ができる汎用性もある器具
【手続補正書】
【提出日】平成26年8月10日(2014.8.10)
【手続補正１】
【補正対象書類名】実用新案登録請求の範囲
【補正対象項目名】全文
【補正方法】変更
【補正の内容】
【実用新案登録請求の範囲】
【請求項１】
２つを合わせると球体状になる半球体状のザルとボウルの2セットからなる、節水食物洗浄器具であって、洗う食物を入れて球体状にしたザルを、水を入れた透明や半透明素材の外側球体状のボウルの中に入れ、全体を振る事で直接水に手を触れる事無く、食物を洗浄する事を特徴とする節水食物洗浄器具。
【請求項２】
球体状のザルの合わせ目に挟む事のできる仕切りの板状の網である補助部品をさらに有し、前記補助部品を使用する事で、半球体状のザルから食物を動かさずに食物を洗浄できる、請求項１記載の節水食物洗浄器具。
【請求項３】
洗米で使用する場合には、半球体状のザルの容量を、例えば米３合や、米５合等の各大きさに合わせ、それに見合うザルとボウルの大きさに作る事で、ザルで米をすくうだけで計量する事ができ、他の容器に米を移す事無く、米の計量と洗米が一つの容器で出来る、請求項１記載の節水食物洗浄器具。